(57)【要約】【課題】回転式カレンダーのカレンダー本体の表面部に、放射状に１２等分して月、年、日及び曜日を表示等して、法人や個人らが年間の事業計画や行事日程や事業の進捗状態等の企画立案等を見易くした。【解決手段】薄い板状の回転自在なカレンダー本体ａの中心部１を基点にして、表面部３にして、外周縁部２方向に１２等分に等分割し、最下段には１月から１２月の月表示部４を、月表示部４の上段部に年表示部５を、年表示部５の上段部に日表示部６を、日表示部６の上段部に曜日表示部７を表示し、カレンダー本体ａの中心部１にカレンダー本体ａを回転する支持体ｂが装着した。【選択図】    図１
2019181800.tif 000002
【特許請求の範囲】
【請求項１】
薄い板状の回転自在なカレンダー本体の中心部を基点にして、表面部にして、且外周縁部方向に１２等分に等分割せしめられ、最下段には１月から１２月の月表示部を、前記月表示部の上段部に年表示部を、前記年表示部の上段部に日表示部を、前記日表示部の上段部に曜日表示部を夫々表示せしめ、前記カレンダー本体の中心部に前記カレンダー本体を回転せしめる支持体が装着せしめられていることを特徴とする回転自在なカレンダー。
【請求項２】
前記支持体が、中心部に回転支持部が嵌挿せしめられ、且前記回転支持部内に固定具が挿入せしめられていることを特徴とする、請求項１に記載の回転自在なカレンダー。
【請求項３】
前記回転支持部にして、且前記カレンダー本体の表面部に、回転板が回転可能に取着せしめていることを特徴とする、請求項１又は２に記載の回転自在なカレンダー。
【請求項４】
前記回転板が、裏面部におもりが取着せしめられていることを特徴とする、請求項３に記載の回転自在なカレンダー。
【請求項５】
前記カレンダー本体が、円形状もしくは多角形状であることを特徴とする、請求項１又は２又は３又は４に記載の回転自在なカレンダー。
【請求項６】
前記カレンダー本体の１２等分の等分割が、線部にて区切られ表示せしめられ、前記日表示部及び曜日表示部の７等分が線部にて区切られ表示せしめられていることを特徴とする、請求項１又は２又は３又は４又は５に記載の回転自在なカレンダー。
【請求項７】
前記カレンダー本体を回転せしめる支持体が、前記支持体を構成する回転支持部を筒状にて形成せしめ、且前記固定具が釘状もしくはコンクリートへの打込み且固定可能な部材とすることを特徴とする、請求項１又は２又は３又は４又は５又は６に記載の回転自在なカレンダー。
【請求項８】
前記カレンダー本体の表面部にして、且中心部に装着せしめられ、くるくる回る回転板が、表面部に図柄もしくは写真等が付記せしめられていることを特徴とする、請求項１又は２又は３又は４又は５又は６又は７に記載の回転自在なカレンダー。
【請求項９】
前記線部によって区切られている各月毎の月表示部と年表示部と日表示部と曜日表示部が色彩を異にして形成せしめられていることを特徴とする、請求項１又は２又は３又は４又は５又は６又は７又は８に記載の回転自在なカレンダー。
【請求項１０】
薄い板状の回転自在なカレンダー本体の中心部を基点にして、表面部にして、且外周縁部方向に１２等分に等分割せしめられ、最下段には１月から１２月の月表示部を、前記月表示部の上段部に年表示部を、前記年表示部の上段部に日表示部を、前記日表示部の上段部に曜日表示部を夫々表示せしめるカレンダー本体の製造工程と、前記カレンダー本体の中心部に前記カレンダー本体を回転せしめ且装着せしめる支持体の製造工程と、前記回転支持部内に挿入せしめる固定具の製造工程と、前記回転支持部にして、且前記カレンダー本体の表面部に、回転可能な回転板の製造工程と、前記回転板の裏面部に取着せしめるおもりの製造工程と、前記カレンダー本体の表面部を１２等分に等分割する線部の製造工程と、前記日表示部及び曜日表示部を７等分に区切り表示せしめる線部の製造工程とからなることを特徴とする回転自在なカレンダーの製造方法。
【請求項１１】
前記カレンダー本体の表面部にして、且中心部に装着せしめられ、くるくる回る回転板の表面部に付記せしめる図柄もしくは写真等の製造工程とからなることを特徴とする、請求項１０に記載の回転自在なカレンダーの製造方法。
【請求項１２】
前記線部によって区切られている各月毎の月表示部と年表示部と日表示部と曜日表示部が色彩を異にして形成せしめる製造工程であることを特徴とする、請求項１０又は１１に記載の回転自在なカレンダーの製造方法。
【請求項１３】
前記カレンダー本体を円形状もしくは多角形状にて形成せしめる製造工程とからなることを特徴とする、請求項１０又は１１又は１２に記載の回転自在なカレンダーの製造方法。
【発明の詳細な説明】
【技術分野】
【０００１】
本発明は、薄い板状の回転自在なカレンダー本体の中心部を基点にして、外周縁部方向に放射状に等分割せしめられ、最下段には月表示部を、月表示部の上段部に年表示部を、年表示部の上段部に日表示部を、前記日表示部の上段部に曜日表示部を夫々表示せしめられ、中心部にカレンダーを回転せしめる支持体が装着せしめられている回転自在なカレンダー及び同カレンダーの製造方法の技術分野に関するものである。
【背景技術】
【０００２】
従来、ダイヤル式カレンダー及びそれを用いた薬品容器が、下記特許文献１（特開２０１４−４３０５公報）に開示されている。
【０００３】
当該ダイヤル式カレンダー及びそれを用いた薬品容器は、構造及び操作が単純で、薬品容器のキャップなどに容易に取り付けることが可能な、ダイヤル式カレンダーを提供し、合わせて服用すべき曜日や服用の有無の確認が容易な、ダイヤル式カレンダー付の薬品容器を提供するものである。
【０００４】
また、このダイヤル式カレンダー及びそれを用いた薬品容器の構成は、周縁部に少なくとも１週間分の曜日を表示した第一の円盤と、前記第一の円盤を覆い、前記曜日の一つを視認可能とする表示窓を有する第二の円盤が同心に配され、前記第一の円盤と前記第二の円盤の、少なくともいずれか一方が回転可能であることを特徴とするダイヤル式カレンダーを、薬品容器のキャップなどに接合するものである。
【先行技術文献】
【特許文献】
【０００５】
【特許文献１】特開２０１４−４３０５公報
【発明の概要】
【発明が解決しようとする課題】
【０００６】
前記特許文献１に係る特開２０１４−４３０５公報に記載の発明のダイヤル式カレンダー及びそれを用いた薬品容器は、ダイヤル式カレンダーの構成要件の１つで、１週間分の曜日を表示した第一の円盤が円柱軸１ｂを基点に回転せしめ、曜日表示窓１ａに曜日２ａが表示されるものであって、ダイヤル式カレンダーとは云っても、月表示、年表示、日表示及び曜日表示の一年間分のものを見ること等到底できない構成である。
【０００７】
しかるに、本発明が解決しようとする課題は、本発明の回転式カレンダーを構成するカレンダー本体の表面部に、表面部を放射状に１２等分して月、年、日及び曜日を表示せしめ、さらに前記カレンダー本体の中心部に回転支持体を設け、室内の木製もしくはコンクリート製の壁面部に打込みを仕易く、且前記壁面部にぴったりと密着するか、若干の隙間を設け取着せしめ、前記カレンダー本体を回転可能とし、法人及び個人らが年間の事業計画や行事日程や事業の進捗状態等の企画立案等を見易くした。
【０００８】
また本発明は、カレンダー本体の外周縁部を手指で軽く掴んで左側方向もしくは右側方向に廻してやるだけで、支持体を基点にして、前記カレンダー本体を看者にとって極めて簡単にして、且迅速に見易い所定の位置に停止せしめることができるようにした。
【０００９】
さらに本発明は、前記カレンダー本体の中央部分に回転板を装着せしめると共に、該回転板の裏面部におもりを付着せしめて、くるくると廻るようにして、看者に好印象を与え、且前記回転板の表面部に付記せしめられている所望の写真もしくは図柄もしくは文字等を常時正常な状態を保持せしめるようにした。
【００１０】
加えて本発明は、さらに前記カレンダー本体の表面部を１２等分の等分割にするために、放射状の線部をもって区切り、さらに前記線部を太くして月単位の日や曜日を見易くし、さらに各月毎の月表示部と年表示部と日表示部と曜日表示部を、各月毎に色彩を異にする等して、看者に見易くした。
【００１１】
さらに本発明は、カレンダー本体を回転せしめる支持体の構成を回転支持体を筒状にし、且つ固定具を釘状もしくはコンクリートへの打込み固定可能な部材にして、室内の壁部に対する打込を容易にすると共に、カレンダー本体が容易に落下しないようにして課題を解決した。
【課題を解決するための手段】
【００１２】
課題を解決するための手段として、請求項１に記載の発明は、薄い板状の回転自在なカレンダー本体ａの中心部１を基点にして、表面部３にして、且外周縁部２方向に１２等分に等分割せしめられ、最下段には１月から１２月の月表示部４を、前記月表示部４の上段部に年表示部５を、前記年表示部５の上段部に日表示部６を、前記日表示部６の上段部に曜日表示部７を夫々表示せしめ、前記カレンダー本体ａの中心部１に前記カレンダー本体ａを回転せしめる支持体ｂが装着せしめられていることを特徴とする回転自在なカレンダーである。
【００１３】
請求項２に記載の発明は、前記支持体ｂが、中心部１に回転支持部８が嵌挿せしめられ、且前記回転支持部８内に固定具９が挿入せしめられていることを特徴とする請求項１に記載の回転自在なカレンダーである。  
【００１４】
請求項３に記載の発明は、前記回転支持部８にして、且前記カレンダー本体ａの表面部３に、回転板１０が回転可能に取着せしめていることを特徴とする請求項１又は２に記載の回転自在なカレンダーである。
【００１５】
請求項４に記載の発明は、前記回転板１０が、裏面部１１におもり１２が取着せしめられていることを特徴とする請求項３に記載の回転自在なカレンダーである。
【００１６】
請求項５に記載の発明は、前記カレンダー本体ａが、円形状もしくは多角形状であることを特徴とする請求項１又は２又は３又は４に記載の回転自在なカレンダーである。
【００１７】
請求項６に記載の発明は、前記カレンダー本体ａの１２等分の等分割が、線部１３にて区切られ表示せしめられ、前記日表示部６及び曜日表示部７の７等分が線部１３にて区切られ表示せしめられていることを特徴とする請求項１又は２又は３又は４又は５に記載の回転自在なカレンダーである。
【００１８】
請求項７に記載の発明は、前記カレンダー本体ａを回転せしめる支持体ｂが、前記支持体ｂを構成する回転支持部８を筒状にて形成せしめ、且前記固定具９が釘状もしくはコンクリートへの打込み且固定可能な部材とすることを特徴とする請求項１又は２又は３又は４又は５又は６に記載の回転自在なカレンダーである。
【００１９】
請求項８に記載の発明は、前記カレンダー本体ａの表面部３にして、且中心部１に装着せしめられ、くるくる回る回転板１０が、表面部３に図柄もしくは写真等が付記せしめられていることを特徴とする請求項１又は２又は３又は４又は５又は６又は７に記載の回転自在なカレンダーである。
【００２０】
請求項９に記載の発明は、前記線部１３によって区切られている各月毎の月表示部４と年表示部５と日表示部６と曜日表示部７が色彩を異にして形成せしめられていることを特徴とする請求項１又は２又は３又は４又は５又は６又は７又は８に記載の回転自在なカレンダーである。
【００２１】
請求項１０に記載の発明は、薄い板状の回転自在なカレンダー本体ａの中心部１を基点にして、表面部３にして、且外周縁部２方向に１２等分に等分割せしめられ、最下段には１月から１２月の月表示部４を、前記月表示部４の上段部に年表示部５を、前記年表示部５の上段部に日表示部６を、前記日表示部６の上段部に曜日表示部７を夫々表示せしめるカレンダー本体ａの製造工程と、前記カレンダー本体ａの中心部１に前記カレンダー本体ａを回転せしめ且装着せしめる支持体ｂの製造工程と、前記回転支持部８内に挿入せしめる固定具９の製造工程と、前記回転支持部８にして、且前記カレンダー本体ａの表面部３に、回転可能な回転板１０の製造工程と、前記回転板１０の裏面部１１に取着せしめるおもり１２の製造工程と、前記カレンダー本体ａの表面部３を１２等分に等分割する線部１３の製造工程と、前記日表示部６及び曜日表示部７を７等分に区切り表示せしめる線部１３の製造工程とからなることを特徴とする回転自在なカレンダーの製造方法である。
【００２２】
請求項１１に記載の発明は、前記カレンダー本体ａの表面部３にして、且中心部１に装着せしめられ、くるくる回る回転板１０の表面部３に付記せしめる図柄もしくは写真等の製造工程とからなることを特徴とする請求項１０に記載の回転自在なカレンダーの製造方法である。
【００２３】
請求項１２に記載の発明は、前記線部１３によって区切られている各月毎の月表示部４と年表示部５と日表示部６と曜日表示部７が色彩を異にして形成せしめる製造工程であることを特徴とする請求項１０又は１１に記載の回転自在なカレンダーの製造方法である。
【００２４】
請求項１３に記載の発明は、前記カレンダー本体ａを円形状もしくは多角形状にて形成せしめる製造工程とからなることを特徴とする請求項１０又は１１又は１２に記載の回転自在なカレンダーの製造方法である。
【発明の効果】
【００２５】
本発明は、上述のとおりの構成なので、各室の壁面の所定個所にカレンダー本体の中心部に装着せしめた支持体を構成する固定部（釘等）を室内の壁部に打込み取付けておくことによって、法人もしくは個人らが年間の事業計画もしくは行事日程もしくは事業もしくは行事等の企画、立案を見やすくする利点がある。
【００２６】
また本発明は、さらに年間を構成する該当月、該当年、該当日、該当曜日を放射状の線部によって等分に分割してあるので、年間の何年何月何日、何曜日かが極めて判り易く看者らに好印象を与える。
【００２７】
さらに本発明は、カレンダー本体の外周縁部が円形状にて形成されているので、左廻りもしくは右廻りをするのに、手指が掴み易い。
【００２８】
また本発明は、さらに中央部に取着されている回転板がくるくる回転するように裏面部におもりを付着せしめ装着せしめられているので、回転板の表面部に表示されている広告宣伝用図柄、文字等が常時正面視状態を確保できる利点がある。
【００２９】
しかも本発明は、各月別表示部分を色彩を異にし、且濃淡を付しているので、看者に心地良さと好印象を与える。
【００３０】
その上、本発明の回転自在なカレンダーに関する製造工程は、上述のとおりなので、当該回転自在なカレンダーを製造する製造工程によって上述した本発明の効果の項において列挙した多数のすぐれた利点を有する回転自在なカレンダーを極めて容易にして簡単確実にして、しかも安価にて製造することができる利点も併有している。
【図面の簡単な説明】
【００３１】
【図１】本発明の回転自在なカレンダー及び製造方法におけるカレンダーの正面図である。
【００３２】
【図２】同回転自在なカレンダーの一部切欠正面図である。
【００３３】
【図３】同回転自在なカレンダーを壁面部に取着せしめた一部切欠拡大縦断面図である。
【００３４】
【図４】同図３における回転自在なカレンダーの一部切欠拡大縦断面図である。
【００３５】
【図５】同回転自在なカレンダーを固定する固定部の正面図である。
【発明を実施するための最良の形態】
【００３６】
本発明の請求項１〜１３に記載の発明に関する実施の形態は、共通しているので、一括して以下のとおり説明する。
【００３７】
図において、符号ａは金属製もしくは紙製もしくは合成樹脂製等の薄い板状にして、且外周縁部２が円形状もしくは４辺形状もしくは多角形状をした回転自在なカレンダー本体を示している。しかし本発明においては、主として外周縁部２が円形状のものを使用する。
【００３８】
そして、前記カレンダー本体ａは、カレンダー本体ａの表面部３に、前記カレンダー本体ａの表面部３にして、且外周縁部２の方向に１２等分に等分割せしめられ、最下段には１月から１２月の月表示部４を、前記月表示部４の上段部に年表示部５を、前記年表示部５の上段部に日表示部６を、前記日表示部６の上段部に曜日表示部７を夫々表示せしめられている。
【００３９】
図において、ｂは前記カレンダー本体ａ中心部１に前記カレンダー本体ａを回転せしめる支持体であり、以下の構成からなっている。
【００４０】
この支持体ｂは、外側方に回転支持部８が嵌挿し、そして前記回転支持体８内にネジ状の固定具９（図４、図５）が挿入されている。
【００４１】
そして前記固定具９は、前記カレンダー本体ａの表面部３から裏面部３ａの方向に突出している。
【００４２】
そして、前記固定具９は、図４と図５に図示されているようなネジ釘状をしている。ただし形状については限定しない。
【００４３】
また、前記固定具９は、木製の壁部１４には適しているが、前記壁部１４が木製でなくコンクリートの場合には、図示されていないが別設するコンクリートへの打ち込み且固定可能な部材を使用する。
【００４４】
図において、１０は前記カレンダー本体ａの中心部１に装着せしめられている前記支持体ｂと同軸上の回転板であり、以下の構成からなっている。
【００４５】
すなわち、前記回転板１０は、くるくると廻ることができるように裏面部１１に、所定の形状をしたおもり１２を付着せしめている。付着の位置は、くるくると廻った際に、表面部１０ａに付記もしくは付着せしめた広告宣伝用文字、図柄もしくは写真類が常時看者らが見やすい状態におかれるように、正面視の状態を確保できるようにして付着する程度で良い。
【００４６】
さらに前記回転板１０は、外周部が円盤形状もしくは多角形状とするが限定しない。
【００４７】
図において、１３は前記カレンダー本体ａの表面部３を１２等分に等分割した線部であり、さらに該線部１３は、薄い板状の回転自在なカレンダー本体ａの中心部１を基点にして、表面部３にして、且外周縁部２方向に１２等分に等分割せしめ、最下段には１月から１２月の月表示部４を、前記月表示部４の上段部に年表示部５を、前記年表示部５の上段部に日表示部６を、前記日表示部６の上段部に曜日表示部７を夫々表示せしめる等分割（１２等分）の区切り線である。
【００４８】
さらに、この線部１３は、前記日表示部６及び曜日表示部７の７等分に区切っている。そして、前記線部１３によって区切られている各月毎の月表示部４と、年表示部５と、日表示部６と、曜日表示部７は、色彩を異に形成せしめてもよい。
【００４９】
＜本発明の回転自在なカレンダーの取付け方法＞
本発明の回転自在なカレンダーの構成部材であるカレンダー本体ａは、前記支持体ｂを構成している固定具９を、前記壁部１４に打込んでやると図３、４に図示されているようになって、確実に固着される。
【００５０】
前記のように、前記カレンダー本体ａが壁部１４に固着されると、前記回転板１０がおもり１２によって図１のように看者をして極めて見易い状態に静止している。
【００５１】
＜本発明の回転自在なカレンダーの使用方法＞
つぎに本発明の回転自在なカレンダーの使用方法について説明する。
【００５２】
前記のような手法にて取付けられた後、回転自在なカレンダーを構成するカレンダー本体ａの外周縁部２を手指で軽く掴んで左側方か、もしくは右側方に回転すると、前記カレンダー本体ａが、前記回転支持部８を回転軸にして回転する。その際、使用者が好みの月を上段にしたいと所望するときは、前記カレンダー本体ａを手指で外周縁部２を掴みながら操作すれば良い。
【００５３】
上述したように、前記カレンダー本体ａが所定の角度で回転中は、前記カレンダー本体ａの中央部に取着せしめられている円形状回転板１０が、おもり１２によってくるくると同時に回転し、看者らに極めて心地良さを与える。従って前記回転板１０の表面部に付記もしくは付着せしめられている文字、図柄等が、常時正面視状態を保持できると共に、広告宣伝効果を著しく高めることができる。
【００５４】
さらに、本発明の回転自在なカレンダーの製造方法について説明する。
【００５５】
本発明の回転自在なカレンダーを構成するカレンダー本体ａの製造工程は以下のとおりである。
【００５６】
第１の工程として、薄い板状の回転自在なカレンダー本体ａの中心部１を基点にして、表面部３にして、且外周縁部２方向に１２等分に等分割せしめられ、最下段には１月から１２月の月表示部４を、前記月表示部４の上段部に年表示部５を、前記年表示部５の上段部に日表示部６を、前記日表示部６の上段部に曜日表示部７を夫々表示せしめる工程を必要とする。
【００５７】
第２の工程として、本発明の回転自在なカレンダーａを構成する支持体ｂの製造工程は、前記のようにして製造せしめられたカレンダー本体ａの中心部１に回転可能にして、且装着できるような形状にて形成せしめる工程を必要とする。
【００５８】
第３の工程は、前記回転支持部８の製造工程と、前記回転支持部８内に挿入せしめることができる固定具９の製造工程を必要とする。
【００５９】
第４の工程は、固定具９が前記第３工程によって製造せしめられた回転支持部８内に挿入できる工程を必要とする。
【００６０】
第５の工程は、回転板１０が、前記カレンダー本体ａの表面部３にして、前記第３製造工程によって製造せしめられた回転支持部８と同軸とする構造にして、且裏面部１１におもり１２を取着せしめる工程を必要とする。
【００６１】
第６の工程は、製造せしめられる線部１３が、前記カレンダー本体ａの表面部３を１２等分するとき必要とする。
【００６２】
第７の工程は、製造せしめられる線部１３が、前記日表示部６及び曜日表示部７を７等分に区切って表示する工程を必要とする。
【００６３】
第８の工程は、前記回転板１０の表面部３に図柄もしくは写真等を付記せしめる製造工程を必要とする。
【００６４】
さらに本発明においては、前記した第１工程にて製造せしめるカレンダー本体ａが外周縁部２を円形状もしくは多角形状にて形成せしめる製造工程を要する場合もある。
【００６５】
前記のように製造せしめられた前記カレンダー本体ａの中心部１に支持体ｂを嵌挿せしめ、前記支持体ｂ内に固定具９を嵌挿し、前記支持体ｂと同軸にして回転板１０を取着せしめ組立てる。
【００６６】
以上に本発明の実施例を図面に基づいて説明したが、本発明は、図示例の限りではなく、その技術的思想を逸脱しない範囲において、当業者が通常に行う設計変更、応用のバリエーションの範囲を含むことを念のために言及する。
【符号の説明】
【００６７】
ａ        カレンダー本体
ｂ        支持体
１        中心部
２        外周縁部
３        表面部
３ａ      裏面部
４        月表示部
５        年表示部
６        日表示部
７        曜日表示部
８        回転支持部
９        固定具
１０      回転板
１０ａ    表面部
１１      裏面部
１２      おもり
１３      線部
１４      壁部
【図１】
2019181800.tif 000003
【図２】
2019181800.tif 000004
【図３】
2019181800.tif 000005
【図４】
2019181800.tif 000006
【図５】
2019181800.tif 000007
【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
薄い板状の回転自在なカレンダー本体の中心部を基点にして、表面部にして、且外周縁部方向に放射状の線部をもって１２等分に区切り等分割せしめられ、前記線部によって区切られている各区分の最下段には年間を構成する１月から１２月が各月毎に表示せしめられている月表示部を、前記月表示部の上段部に前記該当月の該当年が表示せしめられている年表示部を、前記年表示部の上段部に前記該当月の該当日が表示せしめられている日表示部を、前記日表示部の上段部に前記該当日の該当曜日が表示せしめられている曜日表示部を夫々表示せしめ、前記カレンダー本体の中心部に前記カレンダー本体を回転せしめる支持体が装着せしめられていることを特徴とする回転自在なカレンダー。
【請求項２】
前記支持体が、中心部に回転支持部が嵌挿せしめられ、且前記回転支持部内に固定具が挿入せしめられていることを特徴とする、請求項１に記載の回転自在なカレンダー。
【請求項３】
前記回転支持部にして、且前記カレンダー本体の表面部に、回転板が回転可能に取着せしめられていることを特徴とする、請求項１又は２に記載の回転自在なカレンダー。
【請求項４】
前記回転板が、裏面部におもりが取着せしめられていることを特徴とする、請求項３に記載の回転自在なカレンダー。
【請求項５】
前記カレンダー本体が、円形状もしくは多角形状であることを特徴とする、請求項１又は２又は３又は４に記載の回転自在なカレンダー。
【請求項６】
前記カレンダー本体の１２等分の等分割が、線部にて区切られ表示せしめられ、前記日表示部及び曜日表示部の７等分が線部にて区切られ表示せしめられていることを特徴とする、請求項１又は２又は３又は４又は５に記載の回転自在なカレンダー。
【請求項７】
前記カレンダー本体を回転せしめる支持体が、前記支持体を構成する回転支持部を筒状にて形成せしめ、且前記固定具が釘状もしくはコンクリートへの打込み且固定可能な部材とすることを特徴とする、請求項１又は２又は３又は４又は５又は６に記載の回転自在なカレンダー。
【請求項８】
前記カレンダー本体の表面部にして、且中心部に装着せしめられ、くるくる回る回転板が、表面部に図柄もしくは写真等が付記せしめられていることを特徴とする、請求項１又は２又は３又は４又は５又は６又は７に記載の回転自在なカレンダー。
【請求項９】
前記線部によって区切られている各月毎の月表示部と年表示部と日表示部と曜日表示部が色彩を異にして形成せしめられていることを特徴とする、請求項１又は２又は３又は４又は５又は６又は７又は８に記載の回転自在なカレンダー。
【請求項１０】
薄い板状の回転自在なカレンダー本体の中心部を基点にして、表面部にして、且外周縁部方向に放射状の線部をもって１２等分に区切り等分割せしめられ、前記線部によって区切られている各区分の最下段には年間を構成する１月から１２月が各月毎に表示せしめられている月表示部を、前記月表示部の上段部に前記該当月の該当年が表示せしめられている年表示部を、前記年表示部の上段部に前記該当月の該当日が表示せしめられている日表示部を、前記日表示部の上段部に前記該当日の該当曜日が表示せしめられている曜日表示部を夫々表示せしめるカレンダー本体の製造工程と、前記カレンダー本体の中心部に前記カレンダー本体を回転せしめ且装着せしめる支持体の製造工程と、前記回転支持部内に挿入せしめる固定具の製造工程と、前記回転支持部にして、且前記カレンダー本体の表面部に、回転可能な回転板の製造工程と、前記回転板の裏面部に取着せしめるおもりの製造工程と、前記カレンダー本体の表面部を１２等分に等分割する線部の製造工程と、前記日表示部及び曜日表示部を７等分に区切り表示せしめる線部の製造工程とからなることを特徴とする回転自在なカレンダーの製造方法。
【請求項１１】
前記カレンダー本体の表面部にして、且中心部に装着せしめられ、くるくる回る回転板の表面部に付記せしめる図柄もしくは写真等の製造工程とからなることを特徴とする、請求項１０に記載の回転自在なカレンダーの製造方法。
【請求項１２】
前記線部によって区切られている各月毎の月表示部と年表示部と日表示部と曜日表示部が色彩を異にして形成せしめる製造工程であることを特徴とする、請求項１０又は１１に記載の回転自在なカレンダーの製造方法。
【請求項１３】
前記カレンダー本体を円形状もしくは多角形状にて形成せしめる製造工程とからなることを特徴とする、請求項１０又は１１又は１２に記載の回転自在なカレンダーの製造方法。
【手続補正２】
【補正対象書類名】明細書
【補正対象項目名】全文
【補正方法】変更
【補正の内容】
【発明の詳細な説明】
【技術分野】
【０００１】
本発明は、薄い板状の回転自在なカレンダー本体の中心部を基点にして、外周縁部方向に放射状に等分割せしめられ、最下段には月表示部を、月表示部の上段部に年表示部を、年表示部の上段部に日表示部を、前記日表示部の上段部に曜日表示部を夫々表示せしめられ、中心部にカレンダーを回転せしめる支持体が装着せしめられている回転自在なカレンダー及び同カレンダーの製造方法の技術分野に関するものである。
【背景技術】
【０００２】
従来、ダイヤル式カレンダー及びそれを用いた薬品容器が、下記特許文献１（特開２０１４−４３０５公報）に開示されている。
【０００３】
当該ダイヤル式カレンダー及びそれを用いた薬品容器は、構造及び操作が単純で、薬品容器のキャップなどに容易に取り付けることが可能な、ダイヤル式カレンダーを提供し、合わせて服用すべき曜日や服用の有無の確認が容易な、ダイヤル式カレンダー付の薬品容器を提供するものである。
【０００４】
また、このダイヤル式カレンダー及びそれを用いた薬品容器の構成は、周縁部に少なくとも１週間分の曜日を表示した第一の円盤と、前記第一の円盤を覆い、前記曜日の一つを視認可能とする表示窓を有する第二の円盤が同心に配され、前記第一の円盤と前記第二の円盤の、少なくともいずれか一方が回転可能であることを特徴とするダイヤル式カレンダーを、薬品容器のキャップなどに接合するものである。
【先行技術文献】
【特許文献】
【０００５】
【特許文献１】特開２０１４−４３０５公報
【発明の概要】
【発明が解決しようとする課題】
【０００６】
前記特許文献１に係る特開２０１４−４３０５公報に記載の発明のダイヤル式カレンダー及びそれを用いた薬品容器は、ダイヤル式カレンダーの構成要件の１つで、１週間分の曜日を表示した第一の円盤が円柱軸１ｂを基点に回転せしめ、曜日表示窓１ａに曜日２ａが表示されるものであって、ダイヤル式カレンダーとは云っても、月表示、年表示、日表示及び曜日表示の一年間分のものを見ること等到底できない構成である。
【０００７】
しかるに、本発明が解決しようとする課題は、本発明の回転式カレンダーを構成するカレンダー本体の表面部に、表面部を放射状に１２等分して月、年、日及び曜日を表示せしめ、さらに前記カレンダー本体の中心部に回転支持体を設け、室内の木製もしくはコンクリート製の壁面部に打込みを仕易く、且前記壁面部にぴったりと密着するか、若干の隙間を設け取着せしめ、前記カレンダー本体を回転可能とし、法人及び個人らが年間の事業計画や行事日程や事業の進捗状態等の企画立案等を見易くした。
【０００８】
また本発明は、カレンダー本体の外周縁部を手指で軽く掴んで左側方向もしくは右側方向に廻してやるだけで、支持体を基点にして、前記カレンダー本体を看者にとって極めて簡単にして、且迅速に見易い所定の位置に停止せしめることができるようにした。
【０００９】
さらに本発明は、前記カレンダー本体の中央部分に回転板を装着せしめると共に、該回転板の裏面部におもりを付着せしめて、くるくると廻るようにして、看者に好印象を与え、且前記回転板の表面部に付記せしめられている所望の写真もしくは図柄もしくは文字等を常時正常な状態を保持せしめるようにした。
【００１０】
加えて本発明は、さらに前記カレンダー本体の表面部を１２等分の等分割にするために、放射状の線部をもって区切り、さらに前記線部を太くして月単位の日や曜日を見易くし、さらに各月毎の月表示部と年表示部と日表示部と曜日表示部を、各月毎に色彩を異にする等して、看者に見易くした。
【００１１】
さらに本発明は、カレンダー本体を回転せしめる支持体の構成を回転支持体を筒状にし、且つ固定具を釘状もしくはコンクリートへの打込み固定可能な部材にして、室内の壁部に対する打込を容易にすると共に、カレンダー本体が容易に落下しないようにして課題を解決した。
【課題を解決するための手段】
【００１２】
課題を解決するための手段として、請求項１に記載の発明は、薄い板状の回転自在なカレンダー本体ａの中心部１を基点にして、表面部３にして、且外周縁部２方向に放射状の線部１３をもって１２等分に区切り等分割せしめられ、前記線部１３によって区切られている各区分の最下段には年間を構成する１月から１２月が表示せしめられている月表示部４を、前記月表示部４の上段部に前記該当月の該当年が表示せしめられている年表示部５を、前記年表示部５の上段部に前記該当月の該当日が表示せしめられている日表示部６を、前記日表示部６の上段部に前記該当日の該当曜日が表示せしめられている曜日表示部７を夫々表示せしめ、前記カレンダー本体ａの中心部１に前記カレンダー本体ａを回転せしめる支持体ｂが装着せしめられていることを特徴とする回転自在なカレンダーである。
【００１３】
請求項２に記載の発明は、前記支持体ｂが、中心部１に回転支持部８が嵌挿せしめられ、且前記回転支持部８内に固定具９が挿入せしめられていることを特徴とする請求項１に記載の回転自在なカレンダーである。  
【００１４】
請求項３に記載の発明は、前記回転支持部８にして、且前記カレンダー本体ａの表面部３に、回転板１０が回転可能に取着せしめられていることを特徴とする請求項１又は２に記載の回転自在なカレンダーである。
【００１５】
請求項４に記載の発明は、前記回転板１０が、裏面部１１におもり１２が取着せしめられていることを特徴とする請求項３に記載の回転自在なカレンダーである。
【００１６】
請求項５に記載の発明は、前記カレンダー本体ａが、円形状もしくは多角形状であることを特徴とする請求項１又は２又は３又は４に記載の回転自在なカレンダーである。
【００１７】
請求項６に記載の発明は、前記カレンダー本体ａの１２等分の等分割が、線部１３にて区切られ表示せしめられ、前記日表示部６及び曜日表示部７の７等分が線部１３にて区切られ表示せしめられていることを特徴とする請求項１又は２又は３又は４又は５に記載の回転自在なカレンダーである。
【００１８】
請求項７に記載の発明は、前記カレンダー本体ａを回転せしめる支持体ｂが、前記支持体ｂを構成する回転支持部８を筒状にて形成せしめ、且前記固定具９が釘状もしくはコンクリートへの打込み且固定可能な部材とすることを特徴とする請求項１又は２又は３又は４又は５又は６に記載の回転自在なカレンダーである。
【００１９】
請求項８に記載の発明は、前記カレンダー本体ａの表面部３にして、且中心部１に装着せしめられ、くるくる回る回転板１０が、表面部３に図柄もしくは写真等が付記せしめられていることを特徴とする請求項１又は２又は３又は４又は５又は６又は７に記載の回転自在なカレンダーである。
【００２０】
請求項９に記載の発明は、前記線部１３によって区切られている各月毎の月表示部４と年表示部５と日表示部６と曜日表示部７が色彩を異にして形成せしめられていることを特徴とする請求項１又は２又は３又は４又は５又は６又は７又は８に記載の回転自在なカレンダーである。
【００２１】
請求項１０に記載の発明は、薄い板状の回転自在なカレンダー本体ａの中心部１を基点にして、表面部３にして、且外周縁部２方向に放射状の線部１３をもって１２等分に区切り等分割せしめられ、前記線部１３によって区切られている各区分の最下段には年間を構成する１月から１２月が各月毎に表示せしめられている月表示部４を、前記月表示部４の上段部に前記該当月の該当年が表示せしめられている年表示部５を、前記年表示部５の上段部に前記該当月の該当日が表示せしめられている日表示部６を、前記日表示部６の上段部に前記該当日の該当曜日が表示せしめられている曜日表示部７を夫々表示せしめるカレンダー本体ａの製造工程と、前記カレンダー本体ａの中心部１に前記カレンダー本体ａを回転せしめ且装着せしめる支持体ｂの製造工程と、前記回転支持部８内に挿入せしめる固定具９の製造工程と、前記回転支持部８にして、且前記カレンダー本体ａの表面部３に、回転可能な回転板１０の製造工程と、前記回転板１０の裏面部１１に取着せしめるおもり１２の製造工程と、前記カレンダー本体ａの表面部３を１２等分に等分割する線部１３の製造工程と、前記日表示部６及び曜日表示部７を７等分に区切り表示せしめる線部１３の製造工程とからなることを特徴とする回転自在なカレンダーの製造方法である。
【００２２】
請求項１１に記載の発明は、前記カレンダー本体ａの表面部３にして、且中心部１に装着せしめられ、くるくる回る回転板１０の表面部３に付記せしめる図柄もしくは写真等の製造工程とからなることを特徴とする請求項１０に記載の回転自在なカレンダーの製造方法である。
【００２３】
請求項１２に記載の発明は、前記線部１３によって区切られている各月毎の月表示部４と年表示部５と日表示部６と曜日表示部７が色彩を異にして形成せしめる製造工程であることを特徴とする請求項１０又は１１に記載の回転自在なカレンダーの製造方法である。
【００２４】
請求項１３に記載の発明は、前記カレンダー本体ａを円形状もしくは多角形状にて形成せしめる製造工程とからなることを特徴とする請求項１０又は１１又は１２に記載の回転自在なカレンダーの製造方法である。
【発明の効果】
【００２５】
本発明は、上述のとおりの構成なので、各室の壁面の所定個所にカレンダー本体の中心部に装着せしめた支持体を構成する固定部（釘等）を室内の壁部に打込み取付けておくことによって、法人もしくは個人らが年間の事業計画もしくは行事日程もしくは事業もしくは行事等の企画、立案を見やすくする利点がある。
【００２６】
また本発明は、さらに年間を構成する該当月、該当年、該当日、該当曜日を放射状の線部によって等分に分割してあるので、年間の何年何月何日、何曜日かが極めて判り易く看者らに好印象を与える。
【００２７】
さらに本発明は、カレンダー本体の外周縁部が円形状にて形成されているので、左廻りもしくは右廻りをするのに、手指が掴み易い。
【００２８】
また本発明は、さらに中央部に取着されている回転板がくるくる回転するように裏面部におもりを付着せしめ装着せしめられているので、回転板の表面部に表示されている広告宣伝用図柄、文字等が常時正面視状態を確保できる利点がある。
【００２９】
しかも本発明は、各月別表示部分を色彩を異にし、且濃淡を付しているので、看者に心地良さと好印象を与える。
【００３０】
その上、本発明の回転自在なカレンダーに関する製造工程は、上述のとおりなので、当該回転自在なカレンダーを製造する製造工程によって上述した本発明の効果の項において列挙した多数のすぐれた利点を有する回転自在なカレンダーを極めて容易にして簡単確実にして、しかも安価にて製造することができる利点も併有している。
【図面の簡単な説明】
【００３１】
【図１】本発明の回転自在なカレンダー及び製造方法におけるカレンダーの正面図である。
【００３２】
【図２】同回転自在なカレンダーの一部切欠正面図である。
【００３３】
【図３】同回転自在なカレンダーを壁面部に取着せしめた一部切欠拡大縦断面図である。
【００３４】
【図４】同図３における回転自在なカレンダーの一部切欠拡大縦断面図である。
【００３５】
【図５】同回転自在なカレンダーを固定する固定部の正面図である。
【発明を実施するための最良の形態】
【００３６】
本発明の請求項１〜１３に記載の発明に関する実施の形態は、共通しているので、一括して以下のとおり説明する。
【００３７】
図において、符号ａは金属製もしくは紙製もしくは合成樹脂製等の薄い板状にして、且外周縁部２が円形状もしくは４辺形状もしくは多角形状をした回転自在なカレンダー本体を示している。しかし本発明においては、主として外周縁部２が円形状のものを使用する。
【００３８】
そして、前記カレンダー本体ａは、カレンダー本体ａの表面部３に、前記カレンダー本体ａの表面部３にして、且外周縁部２の方向に１２等分に等分割せしめられ、最下段には１月から１２月の月表示部４を、前記月表示部４の上段部に年表示部５を、前記年表示部５の上段部に日表示部６を、前記日表示部６の上段部に曜日表示部７を夫々表示せしめられている。
【００３９】
図において、ｂは前記カレンダー本体ａ中心部１に前記カレンダー本体ａを回転せしめる支持体であり、以下の構成からなっている。
【００４０】
この支持体ｂは、外側方に回転支持部８が嵌挿し、そして前記回転支持体８内にネジ状の固定具９（図４、図５）が挿入されている。
【００４１】
そして前記固定具９は、前記カレンダー本体ａの表面部３から裏面部３ａの方向に突出している。
【００４２】
そして、前記固定具９は、図４と図５に図示されているようなネジ釘状をしている。ただし形状については限定しない。
【００４３】
また、前記固定具９は、木製の壁部１４には適しているが、前記壁部１４が木製でなくコンクリートの場合には、図示されていないが別設するコンクリートへの打ち込み且固定可能な部材を使用する。
【００４４】
図において、１０は前記カレンダー本体ａの中心部１に装着せしめられている前記支持体ｂと同軸上の回転板であり、以下の構成からなっている。
【００４５】
すなわち、前記回転板１０は、くるくると廻ることができるように裏面部１１に、所定の形状をしたおもり１２を付着せしめている。付着の位置は、くるくると廻った際に、表面部１０ａに付記もしくは付着せしめた広告宣伝用文字、図柄もしくは写真類が常時看者らが見やすい状態におかれるように、正面視の状態を確保できるようにして付着する程度で良い。
【００４６】
さらに前記回転板１０は、外周部が円盤形状もしくは多角形状とするが限定しない。
【００４７】
図において、１３は前記カレンダー本体ａの表面部３を１２等分に等分割した線部であり、さらに該線部１３は、薄い板状の回転自在なカレンダー本体ａの中心部１を基点にして、表面部３にして、且外周縁部２方向に１２等分に等分割せしめ、最下段には１月から１２月の月表示部４を、前記月表示部４の上段部に年表示部５を、前記年表示部５の上段部に日表示部６を、前記日表示部６の上段部に曜日表示部７を夫々表示せしめる等分割（１２等分）の区切り線である。
【００４８】
さらに、この線部１３は、前記日表示部６及び曜日表示部７の７等分に区切っている。そして、前記線部１３によって区切られている各月毎の月表示部４と、年表示部５と、日表示部６と、曜日表示部７は、色彩を異に形成せしめてもよい。
【００４９】
＜本発明の回転自在なカレンダーの取付け方法＞
本発明の回転自在なカレンダーの構成部材であるカレンダー本体ａは、前記支持体ｂを構成している固定具９を、前記壁部１４に打込んでやると図３、４に図示されているようになって、確実に固着される。
【００５０】
前記のように、前記カレンダー本体ａが壁部１４に固着されると、前記回転板１０がおもり１２によって図１のように看者をして極めて見易い状態に静止している。
【００５１】
＜本発明の回転自在なカレンダーの使用方法＞
つぎに本発明の回転自在なカレンダーの使用方法について説明する。
【００５２】
前記のような手法にて取付けられた後、回転自在なカレンダーを構成するカレンダー本体ａの外周縁部２を手指で軽く掴んで左側方か、もしくは右側方に回転すると、前記カレンダー本体ａが、前記回転支持部８を回転軸にして回転する。その際、使用者が好みの月を上段にしたいと所望するときは、前記カレンダー本体ａを手指で外周縁部２を掴みながら操作すれば良い。
【００５３】
上述したように、前記カレンダー本体ａが所定の角度で回転中は、前記カレンダー本体ａの中央部に取着せしめられている円形状回転板１０が、おもり１２によってくるくると同時に回転し、看者らに極めて心地良さを与える。従って前記回転板１０の表面部に付記もしくは付着せしめられている文字、図柄等が、常時正面視状態を保持できると共に、広告宣伝効果を著しく高めることができる。
【００５４】
さらに、本発明の回転自在なカレンダーの製造方法について説明する。
【００５５】
本発明の回転自在なカレンダーを構成するカレンダー本体ａの製造工程は以下のとおりである。
【００５６】
第１の工程として、薄い板状の回転自在なカレンダー本体ａの中心部１を基点にして、表面部３にして、且外周縁部２方向に１２等分に等分割せしめられ、最下段には１月から１２月の月表示部４を、前記月表示部４の上段部に年表示部５を、前記年表示部５の上段部に日表示部６を、前記日表示部６の上段部に曜日表示部７を夫々表示せしめる工程を必要とする。
【００５７】
第２の工程として、本発明の回転自在なカレンダーａを構成する支持体ｂの製造工程は、前記のようにして製造せしめられたカレンダー本体ａの中心部１に回転可能にして、且装着できるような形状にて形成せしめる工程を必要とする。
【００５８】
第３の工程は、前記回転支持部８の製造工程と、前記回転支持部８内に挿入せしめることができる固定具９の製造工程を必要とする。
【００５９】
第４の工程は、固定具９が前記第３工程によって製造せしめられた回転支持部８内に挿入できる工程を必要とする。
【００６０】
第５の工程は、回転板１０が、前記カレンダー本体ａの表面部３にして、前記第３製造工程によって製造せしめられた回転支持部８と同軸とする構造にして、且裏面部１１におもり１２を取着せしめる工程を必要とする。
【００６１】
第６の工程は、製造せしめられる線部１３が、前記カレンダー本体ａの表面部３を１２等分するとき必要とする。
【００６２】
第７の工程は、製造せしめられる線部１３が、前記日表示部６及び曜日表示部７を７等分に区切って表示する工程を必要とする。
【００６３】
第８の工程は、前記回転板１０の表面部３に図柄もしくは写真等を付記せしめる製造工程を必要とする。
【００６４】
さらに本発明においては、前記した第１工程にて製造せしめるカレンダー本体ａが外周縁部２を円形状もしくは多角形状にて形成せしめる製造工程を要する場合もある。
【００６５】
前記のように製造せしめられた前記カレンダー本体ａの中心部１に支持体ｂを嵌挿せしめ、前記支持体ｂ内に固定具９を嵌挿し、前記支持体ｂと同軸にして回転板１０を取着せしめ組立てる。
【００６６】
以上に本発明の実施例を図面に基づいて説明したが、本発明は、図示例の限りではなく、その技術的思想を逸脱しない範囲において、当業者が通常に行う設計変更、応用のバリエーションの範囲を含むことを念のために言及する。
【符号の説明】
【００６７】
ａ        カレンダー本体
ｂ        支持体
１        中心部
２        外周縁部
３        表面部
３ａ      裏面部
４        月表示部
５        年表示部
６        日表示部
７        曜日表示部
８        回転支持部
９        固定具
１０      回転板
１０ａ    表面部
１１      裏面部
１２      おもり
１３      線部
１４      壁部